(57)【要約】【課題】従来の撮像装置搭載携帯電話機では、１種類の撮像装置しか搭載していないため、利用者が撮像装置を選択することができず、被写体や状況に応じて最適な撮像画像を得ることが出来なかった。【解決手段】携帯電話機本体１の前面に配置された第１の撮像装置２と、携帯電話機本体１の背面に配置され、第１の撮像装置２よりも画素数の多い第２の撮像装置３と、第１又は第２の撮像装置２，３のいずれかを選択する撮像装置選択キー５と、携帯電話機本体１の前面に配置され、選択された撮像装置による撮像画像を表示する液晶表示部４とを備える。【選択図】　　　　図１
2004064350.tif 000002
【特許請求の範囲】
【請求項１】
相互に仕様の異なる複数の撮像装置と、これらの撮像装置のうちいずれか１つの撮像装置を選択する選択手段と、選択された撮像装置による撮像画像を表示可能な表示部とを備えたことを特徴とする撮像装置搭載携帯電話機。
【請求項２】
携帯電話機本体の前面に配置された第１の撮像装置と、携帯電話機本体の背面に配置され、第１の撮像装置よりも画素数の多い第２の撮像装置と、第１又は第２の撮像装置のいずれかを選択する選択手段と、携帯電話機本体の前面に配置され、選択された撮像装置による撮像画像を表示する表示部とを備えたことを特徴とする撮像装置搭載携帯電話機。
【請求項３】
ＴＶ電話用の第１の撮像装置と、第１の撮像装置よりも画素数の多い第２の撮像装置と、第１又は第２の撮像装置のいずれかを選択する選択手段と、ＴＶ電話の受信画像又は第２の撮像装置による撮像画像を表示する表示部とを備えたことを特徴とする撮像装置搭載携帯電話機。
【請求項４】
第１の撮像装置は、第２の撮像装置よりも低消費電力の撮像装置からなることを特徴とする請求項３に記載の撮像装置搭載携帯電話機。
【請求項５】
第２の撮像装置が、第１の撮像装置よりも画像歪みの少ないレンズ構成からなることを特徴とする請求項２又は３に記載の撮像装置搭載携帯電話機。
【請求項６】
第２の撮像装置の撮影画角が、第１の撮像装置の撮像画角よりも狭いことを特徴とする請求項２又は３に記載の撮像装置搭載携帯電話機。
【請求項７】
第１の撮像装置の光学系サイズが、第２の撮像装置の光学系サイズよりも小さいことを特徴とする請求項２又は３に記載の撮像装置搭載携帯電話機。
【請求項８】
第１の撮像装置が、多数のＣＭＯＳセンサからなり、第２の撮像装置が、多数のＣＣＤセンサからなることを特徴とする請求項２又は３に記載の撮像装置搭載携帯電話機。
【請求項９】
選択された撮像装置による撮像画像に対し画像処理を行う画像処理回路を備えたことを特徴とする請求項２又は３に記載の撮像装置搭載携帯電話機。
【請求項１０】
第２の撮像装置が、携帯電話機本体に対し撮像方向を調整可能であることを特徴とする請求項２又は３に記載の撮像装置搭載携帯電話機。
【請求項１１】
第２の撮像装置が、携帯電話機本体に着脱可能に搭載されることを特徴とする請求項２又は３に記載の撮像装置搭載携帯電話機。
【請求項１２】
携帯電話機本体内に内蔵された第１の撮像装置が、光学ズーム機能を有さず、携帯電話機本体内に着脱可能な第２の撮像装置が、光学ズーム機能を有することを特徴とする請求項１１に記載の撮像装置搭載携帯電話機。
【発明の詳細な説明】
【０００１】
【発明の属する技術分野】
この発明は、撮像装置搭載携帯電話機に係り、さらに詳しくは、２以上の撮像装置を備えた携帯電話機に関するものである。
【０００２】
【従来の技術】
図１３は、従来の撮像装置搭載携帯電話機の構成を示した図である。図中の（ａ）には撮像装置搭載携帯電話機を正面（前面）から見た状態が示され、（ｂ）には背面から見た状態が示されている。図中の１は携帯電話機本体、４は液晶表示部、５はシャッタースイッチ、７は数字キー群、１６は撮像装置、１７は自画像撮像用の鏡である。
【０００３】
利用者は、携帯電話機本体１を操作し、撮像装置を撮像状態にする。撮像装置１６は内蔵された撮像素子により、光学レンズで結像された被写体情報を電気信号に変換する。携帯電話機本体１は、変換された電気信号を液晶表示部４に表示する。
【０００４】
利用者は、撮像装置１６を被写体方向に向け、液晶表示部４に表示された撮像画像を確認しながら、シャッタースイッチ５を操作することにより、画像撮像することができる。しかしながら、自画像を撮像したい場合には、利用者の自画像を液晶表示部４で確認することができない。
【０００５】
自画像撮影のための鏡１７が、撮像装置１６の近傍に配置されている。自画像を撮像しようとする利用者は、鏡１７に自身を映し、鏡１７に映った像の状態を確認しながら、シャッタースイッチ５を操作することによって、自画像を概略、液晶表示部４の中央位置に撮像することができる。
【０００６】
【発明が解決しようとする課題】
しかしながら、従来の撮像装置搭載携帯電話機では、１種類の撮像装置しか搭載していないため、利用者が撮像装置を選択することが出来ず、被写体や状況に応じて最適な撮像画像を得ることができなかった。
【０００７】
例えば、通常、暗い場所では、ＣＣＤ（Ｃｈａｒｇｅ　Ｃｏｕｐｌｅｄ　Ｄｅｖｉｃｅ）等の高感度の撮像素子を用いた撮像装置の方が画質が良く、５００ｌｘ程度以上の一般的な照度環境では、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の低消費電力の撮像素子を用いて撮像した方が、携帯電話の電池の消耗を軽減することができる。しかしながら、従来の撮像装置搭載携帯電話機は、撮像素子の種類が１種類のため、利用者が撮像環境に応じ、撮像装置を選択することが出来なかった。
【０００８】
また、撮像装置搭載携帯電話機にてテレビ電話等を行う場合は、ＣＩＦ（Ｃｏｍｍｏｎ　Ｉｎｔｅｒｍｅｄｉａｔｅ　Ｆｏｒｍａｔ　；　３５２×２８８画素＝約１０万画素）サイズで１５〜３０ｆｐｓ（Ｆｌａｍｅ　Ｐｅｒ　Ｓｅｃｏｎｄ）程度の画像で十分であるが、パーソナルコンピューター等で静止画像として画像データを取り扱う場合、画素数が１０万画素程度では十分な画質が得られず、パーソナルコンピューターのモニター上では非常に小さいサイズの画像となってしまい、画像の用途が限定される。
【０００９】
パーソナルコンピューター等で静止画像を取り扱う場合、最低でもＶＧＡ（Ｖｉｄｅｏ　Ｇｒａｐｈｉｃ　Ａｒｒａｙ　；　６４０×４８０画素＝約３０万画素）サイズの画素数が好ましいが、従来の撮像装置搭載携帯電話機は、撮像素子の画素数が１種類のため、その撮像素子が持つ有効画素数以上の画素数を、容易に選択することができなかった。
【００１０】
ちなみに、デジタルカメラの画素数は高級なものでは１００万画素以上のものがあり、低価格のものでも３０万画素程度の画素数を有する。
【００１１】
また、従来の携帯電話機に搭載された撮像装置では、一般的に被写体距離が３０ｃｍから無限大となるよう設計されているが、画質的にはその被写体距離の範囲、全てにおいて、高画質な画像を撮像することは不可能であった。広範囲な被写体距離において、常に品質の良い画像を得ることは、１種類のレンズでレンズ設計的に限界があった。
【００１２】
また、従来の撮像装置搭載携帯電話機では、撮像方向が１方向であり、かつ、その撮像方向が携帯電話機本体に対し固定されていた。このため、自画像を撮像する際、液晶表示部をビュワー（ｖｉｅｗｅｒ）として使用することができず、前述の撮像装置横に配置した鏡に映る像を見て撮影する必要があり、液晶表示部中央部に撮像画像を表示させたい場合に不便であった。
【００１３】
この発明は上記のような問題点を解消するためになされたもので、１台の携帯電話機を用いて、多様な用途に応じた撮影を可能とする、撮像装置搭載携帯電話機を提供することを目的とする。
【００１４】
【課題を解決するための手段】
請求項１に記載の本発明による撮像装置搭載携帯電話機は、相互に仕様の異なる複数の撮像装置と、これらの撮像装置のうちいずれか１つの撮像装置を選択する選択手段と、選択された撮像装置による撮像画像を表示可能な表示部とを備えて構成される。この様な構成により、被写体や状況に最適な撮像装置を選択し、用途に応じた撮影を行うことができる。
【００１５】
請求項２に記載の本発明による撮像装置搭載携帯電話機は、携帯電話機本体の前面に配置された第１の撮像装置と、携帯電話機本体の背面に配置され、第１の撮像装置よりも画素数の多い第２の撮像装置と、第１又は第２の撮像装置のいずれかを選択する選択手段と、携帯電話機本体の前面に配置され、選択された撮像装置による撮像画像を表示する表示部とを備えて構成される。
【００１６】
この様な構成により、被写体の方向に応じて最適な撮像装置を選択して撮影を行うことができる。また、必要とされる画質に応じた画素数の撮像装置を選択して撮影を行うことができる。例えば、自画像の撮影には第１の撮像装置を使用し、風景の撮影には第２の撮像装置を使用することができる。
【００１７】
請求項３に記載の本発明による撮像装置搭載携帯電話機は、ＴＶ電話用の第１の撮像装置と、第１の撮像装置よりも画素数の多い第２の撮像装置と、第１又は第２の撮像装置のいずれかを選択する選択手段と、ＴＶ電話の受信画像又は第２の撮像装置による撮像画像を表示する表示部とを備えて構成される。この様な構成により、ＴＶ電話のための動画像などの撮像には、第１の撮像装置を使用し、静止画像の撮影には、第２の撮像装置を使用し、必要とされる画像データ量に応じて、撮像装置を選択することができる。
【００１８】
請求項４に記載の本発明による撮像装置搭載携帯電話機は、第１の撮像装置が、第２の撮像装置よりも低消費電力の撮像装置からなる。一般に、ＴＶ電話の撮像装置は、静止画等の撮像装置に比べ、長時間にわたる撮像を行う。このため、第１の撮像装置として低消費電力の撮像装置を採用することにより、携帯電話機の電池消耗を抑制することができる。
【００１９】
請求項５に記載の本発明による撮像装置搭載携帯電話機は、第２の撮像装置が、第１の撮像装置よりも画像歪みの少ないレンズ構成からなる。この様な構成により、必要とされる画質に応じて、撮像装置を選択して撮影を行うことができる。例えば、自画像の場合よりも風景画の場合に、より高画質の撮影を行うことができる。また、ＴＶ電話等の動画の場合よりも風景画等の静止画の場合に、より高画質の撮影を行うことができる。
【００２０】
請求項６に記載の本発明による撮像装置搭載携帯電話機は、第２の撮像装置の撮影画角が、第１の撮像装置の撮像画角よりも狭くなるように構成される。この様な構成により、自画像の場合には大きな画角で、風景画の場合は小さな画角で撮影することができ、いずれの場合にも最適な画角により撮像することができる。
【００２１】
請求項７に記載の本発明による撮像装置搭載携帯電話機は、第１の撮像装置の光学系サイズが、第２の撮像装置の光学系サイズよりも小さくなるように構成される。この様な構成により、携帯電話機本体内に複数の撮像装置を搭載することができる。
【００２２】
請求項８に記載の本発明による撮像装置搭載携帯電話機は、第１の撮像装置が、多数のＣＭＯＳセンサからなり、第２の撮像装置が、多数のＣＣＤセンサからなる。この様な構成により、消費電力や感度等に応じて、撮像装置を選択して撮影を行うことができる。
【００２３】
請求項９に記載の本発明による撮像装置搭載携帯電話機は、選択された撮像装置による撮像画像に対し画像処理を行う画像処理回路を備えて構成される。画像処理回路を共用化することにより、画像処理ＡＳＩＣ（Ａｐｐｌｉｃａｔｉｏｎ　Ｓｐｅｃｉｆｉｃ　Ｉｎｔｅｇｒａｔｅｄ　ｃｉｒｃｕｉｔ）等の実装部品点数を削減することができる。このため、携帯電話機の低コスト化、小型化を図ることができる。
【００２４】
請求項１０に記載の本発明による撮像装置搭載携帯電話機は、第２の撮像装置が、携帯電話機本体に対し撮像方向を調整可能に構成される。この様な構成により、撮像時の操作性を向上させることができる。
【００２５】
請求項１１に記載の本発明による撮像装置搭載携帯電話機は、第２の撮像装置が、携帯電話機本体に着脱可能に搭載される。この様な構成により、通常時における携帯電話機の携帯性を損なうことなく、複数の撮像装置を使用することができる。
【００２６】
請求項１２に記載の本発明による撮像装置搭載携帯電話機は、携帯電話機本体内に内蔵された第１の撮像装置が、光学ズーム機能を有さず、携帯電話機本体内に着脱可能な第２の撮像装置が、光学ズーム機能を有するように構成される。光学ズーム機能を有する第２の撮像装置を着脱可能とすることにより、通常時における携帯電話機の携帯性を損なうことなく、ズーム撮影を選択することもできる。
【００２７】
【発明の実施の形態】
実施の形態１．
図１は、本発明の実施の形態１による撮像装置搭載携帯電話機の一構成例を示した図である。図中の（ａ）には撮像装置搭載携帯電話機を正面（前面）から見た状態が示され、（ｂ）には背面から見た状態が示されている。図中の１は携帯電話機本体、２は第１の撮像装置、３は第２の撮像装置、４は液晶表示部、５はシャッタースイッチ、６は撮像装置選択スイッチ、７は数字キー群を示す。
【００２８】
第１の撮像装置２は、一般にＣＩＦサイズと呼ばれる１０万画素の解像度を持つ１／７インチ光学系サイズのＣＭＯＳセンサを使用している。これに対し、第２の撮像装置３は、一般にＶＧＡサイズと呼ばれる３０万画素の解像度を持つ１／４インチ光学系サイズのＣＣＤセンサを使用している。すなわち、第２の撮像装置３には、第１の撮像装置２と比べて、画素数が少なく、光学サイズが小さな撮像素子が使用されている。
【００２９】
また、第１の撮像装置２は、光学レンズとして撮像画角が水平５０度に設計された１群１１枚レンズを使用している。これに対し、第２の撮像装置３は、光学レンズとして撮像画角が水平４０度に設計された２群２枚レンズを使用している。すなわち、第２の撮像装置３には、第１の撮像装置２と比べて、レンズ枚数が多く画像歪みのより少ないレンズ構成が採用されるとともに、小さい画角が採用され、より遠い被写体の撮影に適している。
【００３０】
また、第１の撮像装置２は、携帯電話機本体１の前面、すなわち、液晶表示部４、シャッタースイッチ５、撮像装置選択スイッチ６及び数字キー群７が設けられた操作面に取り付けられ、その撮影方向は、液晶表示部４の表示方向と同一であり、利用者側を撮影することができる。これに対し、第２の撮像装置３は、携帯電話機本体１の背面、すなわち、操作面とは逆の面に取り付けられ、利用者とは反対側を撮影することができる。
【００３１】
この様に、本実施の形態１による携帯電話機本体１には、互いに仕様の異なる２個の撮像装置２及び３が搭載されている。すなわち、これらの撮像装置２及び３は、撮像素子の種類及び画素数などが異なっている。また、取付位置や撮影方向等も異なっている。
【００３２】
次に、図１の撮像装置搭載携帯電話機の動作について説明する。携帯電話機の利用者は、キー操作を行って携帯電話機を撮像モードにする。撮像モードにおいて、利用者は、撮像装置選択スイッチ６を操作して、第１の撮像装置２又は第２の撮像装置３を任意に選択することができる。撮像装置２又は３の選択後にシャッタースイッチ５を操作すれば、選択された撮像装置により撮影を行うことができる。
【００３３】
例えば、利用者が自画像を撮像したい場合であれば、撮像モードにおいて第１の撮像装置２を選択する。このとき、第１の撮像装置２によって撮影された画像が液晶表示部４に表示される。
【００３４】
第１の撮像装置２は、その撮像方向が液晶表示部４の表示方向と同一であるため、利用者が自画像を撮像する際、ビュワーとしての液晶表示部４に表示された自画像を確認しながら撮影することができる。また、第１の撮像装置２は、携帯電話機本体１での取付面が撮影スイッチ５と同一のため、利用者が自画像を撮像する際にシャッタースイッチ５を操作しやすい。
【００３５】
また、第１の撮像装置２の撮像方向が液晶表示部４の表示方向と同一であるため、第１の撮像装置２をＴＶ電話の撮像装置として用いれば、利用者の自画像を撮像しながら、液晶表示部４に表示された相手の自画像を見ることができる。特に、ＴＶ電話などのような大容量の画像データ通信を行う際、第１の撮像装置２を使用できれば、少画素数であることから画像データ量を少なくすることができ、低消費電力であることから携帯電話機全体としての消費電力を抑制できるので、より望ましい。
【００３６】
一方、利用者が景色等を撮像したい場合、すなわち、利用者の対面方向を撮影したい場合であれば、撮像モードにおいて第２の撮像装置３を選択する。このとき、第２の撮像装置３によって撮影された画像が液晶表示部４に表示される。利用者は、液晶表示部４に表示された画像を確認した後、撮像状態が所望の状態であれば、シャッタースイッチ５を押し、風景画像を記録することができる。
【００３７】
第２の撮像装置３は、その撮像方向が液晶表示部４の表示方向とは逆方向であるため、第２の撮像装置を使用すれば、形態電話機を従来のデジタルカメラと同様に使用することができる。また、第２の撮像装置３は、携帯電話機本体１での取付面がシャッタースイッチ５と逆側であるため、利用者が自画像を撮像する際にシャッタースイッチ５を操作しやすい。
【００３８】
また、第２の撮像装置３は、２群２枚のレンズを使用しているため、第１の撮像装置２よりも画像歪みが少なく、高画素数であるため、高解像度の高い画像データを得ることができる。
【００３９】
本実施の形態によれば、携帯電話機本体１に仕様の異なる２個の撮像装置を搭載することにより、利用者が、被写体や撮像環境に応じて撮像装置を選択することができ、それぞれの状況や要求に応じた撮影をすることができる。
【００４０】
特に、携帯電話機本体１の前面に第１の撮像装置２を搭載するとともに、背面に第２の撮像装置３を搭載することにより、風景撮影の場合には、第１の撮像装置２を使用し、自画像撮影の場合には、第２の撮像装置３を使用することができ、いずれの場合についても、操作性の良好な状態で撮像を行うことができる。
【００４１】
さらに、第２の撮像装置３として、第１の撮像装置２よりも画素数の多い撮像装置を用いることによって、高解像度が問題となる場合が多い風景画等については高解像度で撮像可能とする一方、通信データ量が問題となるＴＶ電話での自画像等については、低解像度でのみ撮影可能としている。このため、携帯電話機に２以上の撮像装置を搭載した場合のコストやサイズの増大を抑制することができる。
【００４２】
また、第２の撮像装置３において、第１の撮像装置よりもレンズ数が多い高性能レンズを用いて歪み補償を行うことにより、高解像度の風景画等については、低解像度の自画像等の場合よりも、歪みを抑制した撮像を可能としている。つまり、解像度や用途に応じてレンズ構成を異ならせ、携帯電話機に２以上の撮像装置を搭載した場合のコストやサイズの増大を抑制することができる。
【００４３】
また、第１の撮像装置２の撮像素子には、より消費電力の少ないＣＭＯＳセンサを用いる一方、第２の撮像装置３の撮像素子には、より高感度のＣＣＤセンサを用いている。このため、暗い室内の風景を撮像する場合でも感度の良い撮影が可能であるとともに、ＴＶ電話として利用する場合の消費電力は抑制し、長時間通話を可能とすることができる。
【００４４】
なお、本実施の形態では、第１の撮像装置の撮像素子を１０万画素ＣＭＯＳセンサ、第２の撮像装置の撮像素子を３０万画素ＣＣＤセンサとしたが、例えば、第２の撮像装置の撮像素子は１００万画素の撮像素子、あるいはＣＭＯＳセンサであってもよく、本発明は、本実施の形態の撮像素子の画素数に限定されない。
【００４５】
また、第１の撮像装置の光学系サイズを１／７インチ、第２の撮像装置の光学系サイズを１／４インチとしたが、例えば、第２の撮像装置の光学系サイズは１／７インチのものであっても良く、本発明は、本実施の形態の光学系サイズに限定されるものではない。
【００４６】
また、第１の撮像装置の光学レンズは撮像画角が水平５０度に設計された１群１枚レンズ、第２の撮像装置の光学レンズは撮像画角が水平４０度に設計された２群２枚レンズとしたが、例えば第２の撮像装置の光学レンズは１群１枚レンズであっても良く、本発明は、本実施の形態のレンズ構成に限定されるものではない。
【００４７】
また、第１及び第２の撮像装置は、種々の光学系の仕様を異ならせることができる。例えば、画角、歪率、光透過率、レンズの構成、材質、赤外光遮断フィルターの性能又は有無、ＡＲコートフィルターの性能又は有無、光学ズーム機能などである。
【００４８】
また、第１の撮像装置の撮像方向を携帯電話の前面側に配置し、第２の撮像装置の撮像方向を携帯電話の背面側に配置したが、例えば第２の撮像装置の撮像方向を携帯電話の上方向に配置しても良く、本発明は、本実施の形態の撮像装置の撮像方向に限定されるものではない。
【００４９】
また、本発明の実施の形態１では詳細を記載しなかったが、２つの撮像装置において、それぞれの撮像素子からは画像データのみを出力する構成とし、色合いの調整等の画像処理は共通の画像処理ＡＳＩＣとした、撮像装置搭載携帯電話機であっても良い。
【００５０】
また、本実施の形態では、仕様の異なる２個の撮像装置を搭載した携帯電話機の場合の例について説明したが、撮像装置の数は３個以上であっても良く、その内の少なくとも１台の撮像装置の仕様を他の撮像装置の仕様と異なるようにすればよい。
【００５１】
実施の形態２．
実施の形態１では、携帯電話機本体１の前面及び背面に撮像装置をそれぞれ配置する場合の例について説明したが、本実施の形態では、携帯電話機本体１の同一面に２個の撮像装置を配置する場合について説明する。
【００５２】
図２は、本発明の実施の形態２による撮像装置搭載携帯電話機の一構成例を示した図である。図中の（ａ）には撮像装置搭載携帯電話機を正面（前面）から見た状態が示され、（ｂ）には側面から見た状態が示されている。図中の１は携帯電話機本体、２は第１の撮像装置、３は第２の撮像装置、４は液晶表示部、５はシャッタースイッチ、６は撮像装置選択スイッチ、７は数字キー群を示す。
【００５３】
第１の撮像装置２及び第２の撮像装置３は、ともに携帯電話機本体１の前面に取り付けられ、第１の撮像装置２は、第２の撮像装置３よりも先端側（上側）に取り付けられている。ここでは、携帯電話機本体１が、先端にいくほど、前面がより狭くなり、厚みがより薄くなっている。このため、第１の撮像装置２は、第２の撮像装置３よりも、より狭い空間に内蔵されている。
【００５４】
図３は、図２の携帯電話機に搭載された第１の撮像装置２の外観を示した図である。図中の８はレンズマウント、９はレンズ、１０は回路基板である。この回路基板１０上には、一般にＣＩＦサイズと呼ばれる１０万画素の解像度を持つ１／７インチ光学系サイズのＣＭＯＳセンサ（不図示）が設けられている。このＣＭＯＳセンサにレンズマウント８を介してレンズ９が取り付けられている。
【００５５】
図４は、図２の携帯電話機に搭載された第２の撮像装置３の外観を示した図である。図中の８はレンズマウント、９はレンズ、１０は回路基板、１１はメモリパッケージである。この回路基板１０上には、一般にＶＧＡサイズと呼ばれる３０万画素の解像度を持つ１／４インチ光学系サイズのＣＣＤセンサ（不図示）及びメモリパッケージ１１が設けられている。このＣＣＤセンサにレンズマウント８を介してレンズ９が取り付けられている。
【００５６】
一般に、携帯電話機本体１は、中央部付近に液晶表示デバイスが配置されるため、携帯電話機本体１は、中央部付近が厚くなるのに対し、先端部付近は大型の部品が配置されず薄くすることができる。デザイン上の観点からも滑らかな形状であることが望ましい。このため、携帯電話機本体１は、通常、先端部が薄くなる形状をしている。
【００５７】
第１の撮像装置２は、第２の撮像装置３に比べ、光学系サイズの小さなセンサを用いて、外径サイズが小型化されている。特に、レンズマウント８、レンズ９及びセンサの厚みや面積が小さくなっている。このため、第１の撮像装置２は、携帯電話機本体１の先端の薄くて狭い空間にも搭載することができる。このため、携帯電話機本体１のデザインを損なうことなく、２個の撮像装置を内蔵することができる。
【００５８】
次に、図２の撮像装置搭載携帯電話機の動作について説明する。携帯電話機の利用者は、キー操作を行って携帯電話機を撮像モードにする。撮像モードにおいて、利用者は、撮像装置選択スイッチ６を操作して、第１の撮像装置２又は第２の撮像装置３を任意に選択することができる。撮像装置２又は３の選択後にシャッタースイッチ５を操作すれば、選択された撮像装置により撮影を行うことができる。
【００５９】
例えば、利用者が自画像を撮像したい場合であれば、撮像モードにおいて第１の撮像装置２を選択する。このとき、第１の撮像装置２によって撮影された画像が液晶表示部４に表示される。第１の撮像装置２は、その撮像方向が液晶表示部４の表示方向と同一であるため、利用者が自画像を撮像する際、ビュワーとしての液晶表示部４に表示された自画像を確認しながら撮影することができる。
【００６０】
一般に、携帯電話機をＴＶ電話等の目的に使用する場合、自画像の動画データは、通常１５〜３０ｆｐｓのフレームレートが好ましく、人間の目で視認できない程度の画像ノイズについては、静止画像とは異なり、細部の画像補正をする必要はない。また、動画データの場合、第２の撮像装置３で行うような、メモリ１１に画像データを取り込んで、高度な画像補正を行うことは、前記フレームレートの制約から困難である。
【００６１】
すなわち、図２の撮像装置搭載携帯電話機では、利用者は、ＴＶ電話等１５〜３０ｆｐｓのフレームレートの動画撮像が必要な場合には、回路１０上にメモリを含まない第１の撮像装置２を選択することができる。
【００６２】
一方、高画質の静止画像を得たい場合、利用者は、第２の撮像装置３を選択する。第２の撮像装置３では、撮像した画像を、一旦、メモリ１１に画像データとして記憶することにより、撮像装置が持つ画像ノイズや特異画素の補正を実施し、高画質の画像を得ることができる。すなわち、利用者は、パーソナルコンピューター等で取り扱うような高品質の静止画データが必要な場合は、第２の撮像装置３を選択することができる。
【００６３】
本実施の形態によれば、携帯電話機の同一面に第１及び第２の撮像装置２，３を配置する際、第１の撮像装置２を第２の撮像装置３より小型にし、第１の撮像装置２を第２の撮像装置３より携帯電話機本体１の先端部に配置している。このため、携帯電話機のデザインを、携帯電話の先端部が薄くなるようにデザインすることができる。
【００６４】
また、第２の撮像装置３をより高解像度、高感度の撮像装置とするとともに、画像補正のためのメモリを備え、第１の撮像装置２よりも高画質の撮像を行うことができる。このため、利用者が被写体や撮像環境に応じて撮像装置を選択でき、それぞれの状況や要求に応じた撮像をすることができる。
【００６５】
なお、本実施の形態では、第１の撮像装置の撮像素子を１０万画素ＣＭＯＳセンサ、第２の撮像装置の撮像素子を３０万画素ＣＣＤセンサとしたが、例えば、第２の撮像装置の撮像素子は１００万画素の撮像素子、あるいはＣＭＯＳセンサであっても良く、本発明は、本実施の形態の撮像素子の画素数に限定されるものではない。
【００６６】
また、第１の撮像装置の光学系サイズを１／７インチ、第２の撮像装置の光学系サイズを１／４インチとしたが、例えば、第２の撮像装置の光学系サイズは１／７インチのものであっても良く、本発明は、本実施の形態の光学系サイズに限定されるものではない。
【００６７】
また、本実施の形態では、第１の撮像装置及び第２の撮像装置の撮像方向を携帯電話の前面側としたが、例えば第２の撮像装置の撮像方向を携帯電話の背面側としても良く、本発明は、本実施の形態の撮像装置の撮像方向に限定されるものではない。
【００６８】
実施の形態３．
実施の形態１および２では、撮像方向が固定化された２個の撮像装置を携帯電話機本体に配置する場合の例について説明したが、本実施の形態では、一方の撮像装置を可動式とし、携帯電話機本体に対し撮像方向を調整可能とする場合について説明する。
【００６９】
図５及び図６は、本発明の実施の形態３による撮像装置搭載携帯電話機の一構成例を示した斜視図であり、図５には、折り畳み式の携帯電話機本体を開いたときの状態が示され、図６には、折り畳み式の携帯電話機本体を閉じたときの状態が示されている。図中の１ａはＬＣＤ側携帯電話機本体、１ｂはキー側携帯電話機本体、２は第１の撮像装置、３は第２の撮像装置、４は液晶表示部、５はシャッタースイッチ、６は撮像装置選択スイッチ、７は数字キー群、１２はヒンジ部、１３は切り欠き構造部である。
【００７０】
この携帯電話機はいわゆる折り畳み式であり、携帯電話機本体１は、ＬＣＤ側携帯電話機本体１ａ及びキー側携帯電話機本体１ｂにより構成される。２つの携帯電話機本体１ａ，１ｂは、ヒンジ部１２を介して開閉可能に連結され、両者の前面側を対向させて、すなわち、液晶表示部４及びキー操作部５〜７を対向させて折り畳むことができる。
【００７１】
第１の撮像装置２は、ＬＣＤ側携帯電話機本体１ａの前面側に配置され、第２の撮像装置３は、ヒンジ部１２の中央付近に配置されている。第２の撮像装置３は、可動式の撮像装置であり、ヒンジ部１２の回転軸を中心として、ヒンジ部１２に対し回転可能に取り付けられている。
【００７２】
また、ＬＣＤ側携帯電話機本体１ａは、ヒンジ部１２の端部においてヒンジ部１２に連結されるとともに、ヒンジ側１２の中央付近には切り欠き構造部１３が設けられている。この切り欠き構造部１３は、第２の撮像装置３を回転させたとき、あるいは、携帯電話機本体１ａ，１ｂを開閉したときに、第２の撮像装置３の突起部が、ＬＣＤ側携帯電話機本体１ａと干渉しないように、第２の撮像装置に対応する位置に設けられている。
【００７３】
図７は、図５の撮像装置搭載携帯電話機を折り畳んだ状態の側面図である。また、図８は、図５の撮像装置搭載携帯電話機を背面側から見た斜視図である。図中の１４は、第２の撮像装置３の回転方向を示している。第２の撮像装置３を回転させることによって、図５及び図８に示す様に、第２の撮像装置３の撮影方向を携帯電話機の前面側及び背面側の任意の方向とすることができる。
【００７４】
なお、第１及び第２の撮像装置２及び３は、異なる仕様の撮像装置であり、ここでは、撮像装置１には、一般にＣＩＦサイズと呼ばれる１０万画素の解像度を持つＣＭＯＳセンサが用いられ、撮像装置２には、一般にＶＧＡサイズと呼ばれる３０万画素の解像度を持つＣＣＤセンサが用いられている。
【００７５】
次に、図５〜図８の撮像装置搭載携帯電話機の動作について説明する。携帯電話機の利用者は、キー操作を行って携帯電話機を撮像モードにする。撮像モードにおいて、利用者は、撮像装置選択スイッチ６を操作して、第１の撮像装置２又は第２の撮像装置３を任意に選択することができる。撮像装置２又は３の選択後にシャッタースイッチ５を操作すれば、選択された撮像装置により撮影を行うことができる。
【００７６】
例えば、利用者が自画像を撮像したい場合、例えば動画を低解像度で撮影したい場合であれば、撮像モードにおいて第１の撮像装置２を選択する。このとき、第１の撮像装置２によって撮影された画像が液晶表示部４に表示される。第１の撮像装置２は、その撮像方向が液晶表示部４の表示方向と同一であるため、利用者が自画像を撮像する際、ビュワーとしての液晶表示部４に表示された自画像を確認しながら撮影することができる。
【００７７】
一方、利用者がパーソナルコンピュータなどで取り扱う目的で、高画質の静止画像を撮影したい場合であれば、撮像モードにおいて第２の撮像装置３を選択する。第２の撮像装置３は、３０万画素のＣＣＤセンサが用いられているので、第１の撮像装置２と比較すれば、高解像度の画像を得ることができる。
【００７８】
このとき、第２の撮像装置３を回転させ、図８のように携帯電話機本体１の背面側に配置していれば、利用者の対面方向の風景などを高解像度で撮影することができる。また、第２の撮像装置３を回転させて、図５のように携帯電話機本体１の前面側に配置していれば、利用者の自画像を高解像度で撮影することができる。いずれの場合にも、ビュワーとしての液晶表示部４に表示された画像を確認しながら撮影することができる。
【００７９】
本実施の形態によれば、携帯電話機に第１及び第２の撮像装置２，３を配置する際、第１の撮像装置２を撮像方向が固定された低解像度の撮像装置とし、第２の撮像装置３を撮像方向が調整可能な高解像度の撮像装置としている。このため、ＴＶ電話として使用する場合等のように低解像度で自画像を撮像したい場合には第１の撮像装置２を使用する一方、高解像度で自画像や風景を撮像したい場合には、第２の撮像装置３の撮像方向を調整して使用することができる。
【００８０】
また、第２の撮像装置３は、回転させるだけで撮影方向を変化させ、携帯電話機の前面及び背面にわたって変化させることができる。このため、利用者は、ビュワーとしての液晶表示画面４を見ながら、様々な方向を撮像することができ、携帯電話機の操作性を向上させることができる。
【００８１】
なお、本発明の実施の形態３では撮像装置搭載携帯電話機を折り畳み式の携帯電話機の例について説明したが、折り畳み式ではない携帯電話機でも、少なくとも一つの撮像装置を可動式とし、携帯電話機本体に搭載することにより、同様の効果が得られる。また、可動式の撮像装置は折り畳み式携帯電話のヒンジ部に搭載された携帯電話を例に説明したが、その他の場所であっても良い。
【００８２】
また、第１の撮像装置の撮像素子を１０万画素ＣＭＯＳセンサ、第２の撮像装置の撮像素子を３０万画素ＣＣＤセンサとしたが、例えば、第２の撮像装置の撮像素子は１００万画素の撮像素子、あるいはＣＭＯＳセンサであっても良く、本発明は、本実施の形態の撮像素子の画素数に限定されるものではない。
【００８３】
実施の形態４．
実施の形態１〜３では、携帯電話機本体に複数の撮像装置が設けられた携帯電話機の場合の例について説明したが、本実施の形態では、これらの撮像装置の一部を着脱式とする携帯電話機の場合について説明する。
【００８４】
図９は、本発明の実施の形態４による撮像装置搭載携帯電話機の一構成例を示した斜視図である。図中の１は携帯電話機本体、１ａはＬＣＤ側携帯電話機本体、１ｂはキー側携帯電話機本体、２は第１の撮像装置、３は第２の撮像装置、４は液晶表示部、５はシャッタースイッチ、６は撮像装置選択スイッチ、７は数字キー群、１２はヒンジ部である。
【００８５】
この携帯電話機は、実施の形態３の場合と同様、ＬＣＤ側携帯電話機本体１ａ及びキー側携帯電話機本体１ｂが、ヒンジ部１２を介して開閉可能に連結され、両者の前面側を対向させて折り畳むことができる。
【００８６】
第１の撮像装置２は、ＬＣＤ側携帯電話機本体１ａの前面側に配置され、第２の撮像装置３は、ヒンジ部１２の一端に配置されている。第２の撮像装置３は、着脱式の撮像装置である。また、第２の撮像装置３は可動式の撮像装置であり、ヒンジ部１２の回転軸を中心として、ヒンジ部１２に対し回転可能に取り付けられている。
【００８７】
図１０は、携帯電話機本体１から第２の撮像装置３を着脱する際の様子を示した図である。第２の撮像装置３は、その突起部がヒンジ１２の係合穴に挿入され、利用者によって着脱可能に取り付けられている。第２の撮像装置を着脱可能とすることにより、利用者は、必要に応じて、携帯電話機本体１への取り付け又は取り外しを行うことができる。
【００８８】
図１１は、第２の撮像装置３の回転方向を示した図である。図中の１４は、携帯電話機本体１に取り付けた状態における第２の撮像装置３の回転方向を示している。第２の撮像装置を携帯電話機本体１に対し回転可能に取り付けることにより、撮像方向を利用者が任意に選択することができる。
【００８９】
なお、第１及び第２の撮像装置２及び３は、異なる仕様の撮像装置であり、ここでは、撮像装置１には、一般にＣＩＦサイズと呼ばれる１０万画素の解像度を持つＣＭＯＳセンサが用いられ、撮像装置２には、一般にＶＧＡサイズと呼ばれる３０万画素の解像度を持つＣＣＤセンサが用いられている。
【００９０】
図１２は、図９の撮像装置搭載携帯電話機において、第２の撮像装置３に代えて、第３の撮像装置１５を取り付けた様子を示した図である。第２の撮像装置３の取り付け位置に、第２の撮像装置３とは異なる仕様の第３の撮像装置１５が取り付けられている。この第３の撮像装置１５は、第２の撮像装置と同様、ヒンジ部１２に着脱可能かつ回転可能に取り付けられるが、光学式ズームレンズを搭載している点で異なる。なお、第１及び第２の撮像装置２，３は、光学式ズームレンズを備えない小型軽量の撮像装置であり、第３の撮像装置は、第１及び第２の撮像装置２，３に比べてサイズ及び重量がより大きくなる。
【００９１】
次に、図９〜図１２の撮像装置搭載携帯電話機の動作について説明する。携帯電話機の利用者は、キー操作を行って携帯電話機を撮像モードにする。撮像モードにおいて、利用者は、撮像装置選択スイッチ６を操作して、第１の撮像装置２又は着脱式の撮像装置（つまり第２の撮像装置３又は第３の撮像装置１５）を任意に選択することができる。撮像装置の選択後にシャッタースイッチ５を操作すれば、選択された撮像装置により撮影を行うことができる。
【００９２】
例えば、利用者が自画像を撮像したい場合、動画像を低解像度で撮影したい場合であれば、撮像モードにおいて第１の撮像装置２を選択する。このとき、第１の撮像装置２によって撮影された画像が液晶表示部４に表示される。第１の撮像装置２は、その撮像方向が液晶表示部４の表示方向と同一であるため、利用者が自画像を撮像する際、ビュワーとしての液晶表示部４に表示された自画像を確認しながら撮影することができる。
【００９３】
一方、利用者がパーソナルコンピュータなどで取り扱う目的で、高画質の静止画像を撮影したい場合であれば、撮像モードにおいて第２の撮像装置３を選択する。第２の撮像装置３は、３０万画素のＣＣＤセンサが用いられているので、第１の撮像装置２と比較すれば、高解像度の画像を得ることができる。また、第２の撮像装置３を回転させれば、ビュワーとしての液晶表示部４に表示された画像を確認しながら、任意の方向に向けて撮像することができる。
【００９４】
ここで、利用者は、常に高画質の静止画像を撮像するわけではない。このため、高画質の静止画像の撮像が不要なときは、図１０に示したように、ヒンジ部１２に装着される第２の撮像装置３を取り外して携帯することができる。
【００９５】
また、利用者が第１の撮像装置２や第２の撮像装置３によって撮影可能な画像以外の撮影をしたい場合、例えば望遠の撮影をしたい場合などには、図１２に示したように、光学式ズームレンズを搭載した第３の撮像装置１５をヒンジ部１２に装着するとともに、撮像モードにおいて第３の撮像装置１５を選択する。
【００９６】
本実施の形態によれば、携帯電話機に第１及び第２の撮像装置２，３を搭載する際、低解像度の第１の撮像装置２を内蔵するとともに、高解像度の第２の撮像装置３を着脱可能としている。このため、利用者は、第２の撮像装置が不要な場合には、携帯電話機本体から取り外すことができ、携帯電話機の携帯性を向上させることができる。
【００９７】
さらに、利用者は、必要に応じて、第２の撮像装置３とは仕様の異なる第３の撮像装置１５を装着することができ、様々な撮像装置を選択し、多様な撮像画像の撮影を行うことが可能となる。特に、第３の撮像装置として、ズームレンズ付撮像装置を使用可能とすることにより、通常時の携帯性を損なうことなく、ズーム画像を撮影可能とすることができる。
【００９８】
なお、着脱可能な撮像装置と、少なくとも一つのそれ以外の撮像装置の周辺回路素子、例えば色合いの調整等の画像処理ＡＳＩＣを共通としても良い。この場合、撮像装置搭載携帯電話機の実装部品点数を削減でき、携帯電話の小型化が可能である。
【００９９】
また、本実施の形態では、第１の撮像装置の撮像素子を１０万画素ＣＭＯＳセンサ、第２の撮像装置の撮像素子を３０万画素ＣＣＤセンサ、第３の撮像装置は光学式ズームレンズを搭載した撮像装置としたが、例えば、第３の撮像装置は、１００万画素の撮像素子としても良く、本発明は、本実施の形態の撮像素子の画素数や光学レンズの種類に限定するものではない。
【０１００】
【発明の効果】
本発明によれば、ひとつの携帯電話機本体に仕様の異なる２つ以上の撮像装置が搭載されているため、利用者が被写体や撮像環境に応じて撮像装置を選択でき、それぞれの状況や要求に応じた撮影をすることができる。
【０１０１】
また、携帯電話機本体の前面に表示部及び第１の撮像装置を配置するとともに、携帯電話機本体の背面に画素数の多い第２の撮像装置を配置しているため、被写体に応じた画質で撮影をすることができる。また、ＴＶ電話用の撮像装置と、より画素数の多い撮像装置を備えているため、画像データ量に応じた撮影をすることができる。
【図面の簡単な説明】
【図１】本発明の実施の形態１による撮像装置搭載携帯電話機の一構成例を示した図である。
【図２】本発明の実施の形態２による撮像装置搭載携帯電話機の一構成例を示した図である。
【図３】図２の携帯電話機に搭載された第１の撮像装置２の外観を示した図である。
【図４】図２の携帯電話機に搭載された第２の撮像装置３の外観を示した図である。
【図５】本発明の実施の形態３による撮像装置搭載携帯電話機の一構成例を示した斜視図であり、折り畳み式の携帯電話機本体を開いたときの状態が示されている。
【図６】本発明の実施の形態３による撮像装置搭載携帯電話機の一構成例を示した斜視図であり、折り畳み式の携帯電話機本体を閉じたときの状態が示されている。
【図７】図５の撮像装置搭載携帯電話機を折り畳んだ状態の側面図である。
【図８】図５の撮像装置搭載携帯電話機を背面側から見た斜視図である。
【図９】本発明の実施の形態４による撮像装置搭載携帯電話機の一構成例を示した斜視図である。
【図１０】携帯電話機本体１から第２の撮像装置３を着脱する際の様子を示した図である。
【図１１】第２の撮像装置３の回転方向を示した図である。
【図１２】図９の撮像装置搭載携帯電話機に光学式ズームレンズ付きの撮像装置を取り付けた様子を示した斜視図である。
【図１３】従来の撮像装置搭載携帯電話機の構成を示した図である。
【符号の説明】
１　携帯電話機本体、１ａ　ＬＣＤ側携帯電話機本体、
１ｂ　キー側携帯電話機本体、２　第１の撮像装置、３　第２の撮像装置、
４　液晶表示部、５　シャッタースイッチ、６　撮像装置選択スイッチ、
７　数字キー群、８　レンズマウント、９　レンズ、１０　回路基板、
１１　メモリパッケージ、１２　ヒンジ部、１３　切り欠き構造部、
１４　回転方向、１５　第３の撮像装置
【図１】
2004064350.tif 000003
【図２】
2004064350.tif 000004
【図３】
2004064350.tif 000005
【図４】
2004064350.tif 000006
【図５】
2004064350.tif 000007
【図６】
2004064350.tif 000008
【図７】
2004064350.tif 000009
【図８】
2004064350.tif 000010
【図９】
2004064350.tif 000011
【図１０】
2004064350.tif 000012
【図１１】
2004064350.tif 000013
【図１２】
2004064350.tif 000014
【図１３】
2004064350.tif 000015